【手続補正書】
【提出日】平成30年11月13日(2018.11.13)
【手続補正１】
【補正対象書類名】明細書
【補正対象項目名】００５２
【補正方法】変更
【補正の内容】
【００５２】
好ましい実施形態を参照しながら本開示を説明してきたが、本開示の趣旨及び範囲から
逸脱しない範囲で形態及び細部の変更を行えることは、当業者であれば理解できるであろ
う。
以下、本発明の態様を説明する。
〔態様１〕
ＨＶＡＣシステム内の空気フィルタの交換ステータスを推定するための、コンピュータによって実施される方法であって、前記方法は、
前記ＨＶＡＣシステムに関連する屋外環境についての屋外気象データを入手することと、
前記入手された屋外気象データに基づいて前記ＨＶＡＣシステムのファンの通算稼動時間値を決定することと、
基準値との前記通算稼動時間値の比較に応じて前記空気フィルタの交換ステータスを推定することと、
を含む、方法。
〔態様２〕
気象データを入手する前記ステップが、オンラインデータサービスに電子的にアクセスすることを含む、態様１に記載の方法。
〔態様３〕
気象データを入手する前記ステップが、
前記気象データを前記オンラインデータサービスから取得することを更に含む、態様２に記載の方法。
〔態様４〕
前記オンラインデータサービスが複数の地域についての屋外温度情報を提供し、気象データを入手する前記ステップが、
前記複数の地域のうちの１つを、前記ＨＶＡＣシステムの地域と対応するものとして特定することを更に含む、態様２又は３に記載の方法。
〔態様５〕
特定する前記ステップが、
前記ＨＶＡＣシステムの郵便番号を、前記複数の地域の各々に関連付けられた郵便番号と比較することを含む、態様４に記載の方法。
〔態様６〕
前記屋外気象データが実際の屋外温度を含む、態様１〜５のいずれか一項に記載の方法。
〔態様７〕
前記屋外気象データが過去の屋外温度を含む、態様１〜６のいずれか一項に記載の方法。
〔態様８〕
前記屋外気象データが暖房度日値及び冷房度日値のうちの一方を含む、態様１〜７のいずれか一項に記載の方法。
〔態様９〕
気象データを入手する前記ステップが、前記ＨＶＡＣシステムのセンサへの直接の接続が存在しないことによって特徴付けられる、態様１〜８のいずれか一項に記載の方法。
〔態様１０〕
前記屋外気象データが第１の期間にわたる平均温度である、態様１〜９のいずれか一項に記載の方法。
〔態様１１〕
気象データを入手する前記ステップが、屋外温度情報と、前記ＨＶＡＣシステムの前記屋外環境における、温度以外の少なくとも第２の気象パラメータを示す気象情報を入手することを含む、態様１〜１０のいずれか一項に記載の方法。
〔態様１２〕
前記第２の気象パラメータが、湿度、風速、風向、日射、降水量、花粉数、地上オゾンレベル、及び空中浮遊微粒子レベルからなる群から選択される、態様１１に記載の方法。
〔態様１３〕
前記入手された気象データが第１の期間に関連し、前記方法が、
前記入手された屋外気象データに基づいて前記第１の期間にわたる前記ファンの現在の稼動時間を推定することを更に含み、
通算稼動時間値を決定する前記ステップが、前記現在の稼動時間に応じて前記通算稼動時間値を決定することを含む、態様１〜１２のいずれか一項に記載の方法。
〔態様１４〕
前記屋外気象データが屋外温度情報を含み、更に、現在の稼動時間を推定する前記ステップが、
前記屋外温度情報を、前記ＨＶＡＣシステムのある家屋の内部の屋内温度を別途示す屋内温度情報と比較することと、
前記比較に応じて前記現在の稼動時間を推定することと、
を含む、態様１３に記載の方法。
〔態様１５〕
前記屋内温度情報をユーザから受信することを更に含む、態様１４に記載の方法。
〔態様１６〕
前記屋内温度情報が、暖房モード設定点、屋内温度情報、及び冷房モード設定点からなる群から選択される、態様１４に記載の方法。
〔態様１７〕
前記現在の稼動時間が、前記屋外温度情報以外の少なくとも第２の気象パラメータに応じて更に推定され、前記第２の気象パラメータは、湿度、風速、風向、日射、及び降水量からなる群から選択される、態様１３〜１６のいずれか一項に記載の方法。
〔態様１８〕
前記現在の稼動時間が、前記ＨＶＡＣシステムのある家屋の面積、前記ＨＶＡＣシステムの容量、前記ＨＶＡＣシステムのある前記家屋の経年数、前記ＨＶＡＣシステムのある前記家屋の遮光、及び前記ＨＶＡＣシステムのある前記家屋のエネルギー効率からなる群から選択される家屋パラメータに応じて更に推定される、態様１３〜１７のいずれか一項に記載の方法。
〔態様１９〕
通算稼動時間値を決定する前記ステップが、前記推定された現在の稼動時間を、以前に推定された現在の稼動時間に加算することを含む、態様１３〜１８のいずれか一項に記載の方法。
〔態様２０〕
空中浮遊微粒子測定値、花粉数、地上オゾンレベル、予測塵挨レベル、前記ＨＶＡＣシステムのある家屋内におけるペットの存在、前記ＨＶＡＣシステムのある前記家屋の占居レベル、前記ＨＶＡＣシステムのある前記家屋の内部におけるろうそくの燃焼の可能性、前記ＨＶＡＣシステムのある前記家屋の内部におけるタバコ製品の燃焼の可能性、及び前記ＨＶＡＣシステムのある前記家屋の内部における香の燃焼の可能性からなる群から選択される汚染関連パラメータに応じて前記基準値を決定することを更に含む、態様１〜１９のいずれか一項に記載の方法。
〔態様２１〕
空気質関心レベル、年間フィルタ変更目標回数、ファン動作、及び窓使用度からなる群から選択されるユーザ嗜好関連パラメータに応じて前記基準値を決定することを更に含む、態様１〜２０のいずれか一項に記載の方法。
〔態様２２〕
前記ＨＶＡＣシステムが住居用応需型ＨＶＡＣシステムである、態様１〜２１のいずれか一項に記載の方法。
〔態様２３〕
ＨＶＡＣシステム内の空気フィルタの交換ステータスを推定するための、コンピュータによって実施されるシステムであって、前記システムは、
１つ以上のプロセッサを備え、前記１つ以上のプロセッサは、
前記ＨＶＡＣシステムに関連する屋外環境についての屋外気象データを入手し、
前記入手された屋外気象データに基づいて前記ＨＶＡＣシステムのファンの通算稼動時間値を決定することと、
基準値との前記通算稼動時間値の比較に応じて前記空気フィルタの交換ステータスを推定する、
ように構成されている、システム。
〔態様２４〕
前記１つ以上のプロセッサが、
前記屋外気象データを入手するためにオンラインデータサービスに電子的にアクセスするように更に構成されている、態様２３に記載のコンピュータによって実施されるシステム。
〔態様２５〕
前記入手された気象データが第１の期間に関連し、更に、前記１つ以上のプロセッサが、
前記入手された屋外気象データに基づいて前記第１の期間にわたる前記ファンの現在の稼動時間を推定し、
前記現在の稼動時間に応じて前記通算稼動時間値を決定する、
ように更に構成されている、態様２３又は２４に記載のコンピュータによって実施されるシステム。
〔態様２６〕
前記屋外気象データが屋外温度情報を含み、更に、前記１つ以上のプロセッサが、
前記屋外温度情報を、前記ＨＶＡＣシステムのある家屋の内部の屋内温度を別途示す屋内温度情報と比較することと、
前記比較に応じて現在の稼動時間を推定することと、
によって前記現在の稼動時間を推定するように構成されている、態様２５に記載のコンピュータによって実施されるシステム。
〔態様２７〕
前記１つ以上のプロセッサが、前記屋外温度情報以外の少なくとも第２の気象パラメータに応じて現在の稼動時間を推定するように更に構成されており、前記第２の気象パラメータは、湿度、風速、風向、日射、及び降水量からなる群から選択される、態様２５又は２６に記載のコンピュータによって実施されるシステム。
〔態様２８〕
前記１つ以上のプロセッサが、前記ＨＶＡＣシステムのある家屋の面積、前記ＨＶＡＣシステムの容量、前記ＨＶＡＣシステムのある前記家屋の経年数、前記ＨＶＡＣシステムのある前記家屋の遮光、及び前記ＨＶＡＣシステムのある前記家屋のエネルギー効率からなる群から選択される家屋パラメータに応じて現在の稼動時間を推定するように更に構成されている、態様２５〜２７のいずれか一項に記載のコンピュータによって実施されるシステム。
〔態様２９〕
前記１つ以上のプロセッサが、前記推定された現在の稼動時間を、以前に推定された現在の稼動時間に加算することによって通算稼動時間値を決定するように更に構成されている、態様２５〜２８のいずれか一項に記載のコンピュータによって実施されるシステム。
〔態様３０〕
前記１つ以上のプロセッサが、
空中浮遊微粒子測定値、花粉数、地上オゾンレベル、予測塵挨レベル、前記ＨＶＡＣシステムのある家屋内におけるペットの存在、前記ＨＶＡＣシステムのある前記家屋の占居レベル、前記ＨＶＡＣシステムのある前記家屋の内部におけるろうそくの燃焼の可能性、前記ＨＶＡＣシステムのある前記家屋の内部におけるタバコ製品の燃焼の可能性、及び前記ＨＶＡＣシステムのある前記家屋の内部における香の燃焼の可能性からなる群から選択される汚染関連パラメータに応じて前記基準値を決定するように更に構成されている、態様２３〜２８のいずれか一項に記載のコンピュータによって実施されるシステム。
〔態様３１〕
前記１つ以上のプロセッサが、
空気質関心レベル、年間フィルタ変更目標回数、ファン動作、及び窓使用度からなる群から選択されるユーザ嗜好関連パラメータに応じて前記基準値を決定するように更に構成されている、態様２３〜２９のいずれか一項に記載のコンピュータによって実施されるシステム。
〔態様３２〕
ＨＶＡＣシステム内の空気フィルタの交換ステータスを推定するための、コンピュータによって実施される方法であって、前記方法は、
前記ＨＶＡＣシステムに関連する地理的領域についての屋外気象データを入手することと、
前記屋外気象データを用いて前記ＨＶＡＣシステム内の前記空気フィルタの前記交換ステータスを見積もることと、
を含む方法。
〔態様３３〕
前記交換ステータスを見積もる前記ステップが、
前記屋外気象データを用いて空気フィルタ稼動時間を推定することと、
前記空気フィルタ稼動時間を用いて前記空気フィルタの前記交換ステータスを推定することと、
を含む、態様３２に記載の方法。
〔態様３４〕
前記屋外気象データを用いて空気フィルタ稼動時間を推定する前記ステップが、
前記入手された屋外気象データに基づいて第１の期間にわたる前記ＨＶＡＣシステムのファンの現在の稼動時間を推定することと、
前記現在の稼動時間に基づいて前記ファンの通算稼動時間値を決定することと、
基準値との前記通算稼動時間値の比較に応じて前記空気フィルタの前記交換ステータスを推定することと、
を含む、態様３３に記載の方法。
〔態様３５〕
前記屋外気象データを用いて空気フィルタ稼動時間を推定する前記ステップが、
前記入手された屋外気象データに基づいて前記ＨＶＡＣシステムのファンの通算稼動時間値を推定することと、
基準値との前記通算稼動時間値の比較に応じて前記空気フィルタの前記交換ステータスを推定することと、
を含む、態様３３に記載の方法。
〔態様３６〕
前記空気フィルタの前記交換ステータスをユーザへ伝えることを更に含む、態様３２〜３５のいずれか一項に記載の方法。
〔態様３７〕
気象データを入手する前記ステップが、オンラインデータサービスに電子的にアクセスすることを含む、態様３２〜３６のいずれか一項に記載の方法。
〔態様３８〕
気象データを入手する前記ステップが、
前記気象データを前記オンラインデータサービスから取得することを更に含む、態様３７に記載の方法。
〔態様３９〕
前記オンラインデータサービスが複数の地域についての屋外温度情報を提供し、気象データを入手する前記ステップが、
前記複数の地域のうちの１つを、前記ＨＶＡＣシステムの地域と対応するものとして特定することを更に含む、態様３７又は３８に記載の方法。
〔態様４０〕
特定する前記ステップが、
前記ＨＶＡＣシステムの郵便番号を、前記複数の地域の各々に関連付けられた郵便番号と比較することを含む、態様３９に記載の方法。
〔態様４１〕
前記屋外気象データが実際の屋外温度を含む、態様３２〜４０のいずれか一項に記載の方法。
〔態様４２〕
前記屋外気象データが過去の屋外温度を含む、態様３２〜４１のいずれか一項に記載の方法。
〔態様４３〕
前記屋外気象データが暖房度日値及び冷房度日値のうちの一方を含む、態様３２〜４２のいずれか一項に記載の方法。
〔態様４４〕
前記屋外気象データが第１の期間にわたる平均温度である、態様３２〜４３のいずれか一項に記載の方法。
〔態様４５〕
気象データを入手する前記ステップが、前記ＨＶＡＣシステムのセンサへの直接の接続が存在しないことによって特徴付けられる、態様３２〜４４のいずれか一項に記載の方法。
〔態様４６〕
気象データを入手する前記ステップが、屋外温度情報と、前記ＨＶＡＣシステムの前記屋外環境における、温度以外の少なくとも第２の気象パラメータを示す気象情報を入手することを含む、態様３２〜４５のいずれか一項に記載の方法。
〔態様４７〕
前記第２の気象パラメータが、湿度、風速、風向、日射、降水量、花粉数、地上オゾンレベル、及び空中浮遊微粒子レベルからなる群から選択される、態様４６に記載の方法。
〔態様４８〕
前記屋外気象データが屋外温度情報を含み、更に、現在の稼動時間を推定する前記ステップが、
前記屋外温度情報を、前記ＨＶＡＣシステムのある家屋の内部の屋内温度を別途示す屋内温度情報と比較することと、
前記比較に応じて前記現在の稼動時間を推定することと、
を含む、態様３４に記載の方法。
〔態様４９〕
前記屋内温度情報をユーザから受信することを更に含む、態様４８に記載の方法。
〔態様５０〕
前記屋内温度情報が、暖房モード設定点及び冷房モード設定点からなる群から選択される、態様４８に記載の方法。
〔態様５１〕
前記現在の稼動時間が、前記屋外温度情報以外の少なくとも第２の気象パラメータに応じて更に推定され、前記第２の気象パラメータは、湿度、風速、風向、日射、及び降水量からなる群から選択される、態様３４及び４８〜５０のいずれか一項に記載の方法。
〔態様５２〕
前記現在の稼動時間が、前記ＨＶＡＣシステムのある家屋の面積、前記ＨＶＡＣシステムの容量、前記ＨＶＡＣシステムのある前記家屋の経年数、前記ＨＶＡＣシステムのある前記家屋の遮光、及び前記ＨＶＡＣシステムのある前記家屋のエネルギー効率からなる群から選択される家屋パラメータに応じて更に推定される、態様３４又は４８〜５１のいずれか一項に記載の方法。
〔態様５３〕
通算稼動時間値を決定する前記ステップが、前記推定された現在の稼動時間を、以前に推定された現在の稼動時間に加算することを含む、態様３４又は４８〜５２のいずれか一項に記載の方法。
〔態様５４〕
空中浮遊微粒子測定値、花粉数、地上オゾンレベル、予測塵挨レベル、前記ＨＶＡＣシステムのある家屋内におけるペットの存在、前記ＨＶＡＣシステムのある前記家屋の占居レベル、前記ＨＶＡＣシステムのある前記家屋の内部におけるろうそくの燃焼の可能性、前記ＨＶＡＣシステムのある前記家屋の内部におけるタバコ製品の燃焼の可能性、及び前記ＨＶＡＣシステムのある前記家屋の内部における香の燃焼の可能性からなる群から選択される汚染関連パラメータに応じて前記基準値を決定することを更に含む、態様３２〜５３のいずれか一項に記載の方法。
〔態様５５〕
空気質関心レベル、年間フィルタ変更目標回数、ファン動作、及び窓使用度からなる群から選択されるユーザ嗜好関連パラメータに応じて前記基準値を決定することを更に含む、態様３２〜５４のいずれか一項に記載の方法。
〔態様５６〕
前記ＨＶＡＣシステムが住居用応需型ＨＶＡＣシステムである、態様３２〜５５のいずれか一項に記載の方法。
〔態様５７〕
ＨＶＡＣシステム内の空気フィルタの交換ステータスを推定するための、コンピュータによって実施されるシステムであって、前記システムは、
１つ以上のプロセッサを備え、前記１つ以上のプロセッサは、
前記ＨＶＡＣシステムに関連する地理的領域についての屋外気象データを入手し、
前記屋外気象データを用いて前記ＨＶＡＣシステム内の前記空気フィルタの前記交換ステータスを見積もる、
ように構成されている、コンピュータによって実施されるシステム。
〔態様５８〕
前記１つ以上のプロセッサが、（１）前記屋外気象データを用いて空気フィルタ稼動時間を推定することと、（２）前記空気フィルタ稼動時間を用いて前記空気フィルタの前記交換ステータスを推定することと、によって、前記空気フィルタの前記交換ステータスを見積もる、態様５７に記載のコンピュータによって実施されるシステム。
〔態様５９〕
前記屋外気象データを用いて空気フィルタ稼動時間を推定することが、
前記入手された気象データに基づいて第１の期間にわたる前記ＨＶＡＣシステムのファンの現在の稼動時間を推定することと、
前記推定された現在の稼動時間に基づいて前記ファンの通算稼動時間値を決定することと、
基準値との前記通算稼動時間値の比較に応じて前記空気フィルタの前記交換ステータスを推定することと、
を含む、態様５８に記載のコンピュータによって実施されるシステム。
〔態様６０〕
前記屋外気象データを用いて空気フィルタ稼動時間を推定することが、
前記屋外気象データに基づいて前記ＨＶＡＣシステムのファンの通算稼動時間値を推定することと、
基準値との前記通算稼動時間値の比較に応じて前記空気フィルタの前記交換ステータスを推定することと、
を含む、態様５８に記載のコンピュータによって実施されるシステム。
〔態様６１〕
前記１つ以上のプロセッサが、
前記空気フィルタの前記交換ステータスをユーザへ伝えるように更に構成されている、態様５７〜６０のいずれか一項に記載のコンピュータによって実施されるシステム。
〔態様６２〕
前記１つ以上のプロセッサが、
前記屋外気象データを入手するためにオンラインデータサービスに電子的にアクセスするように更に構成されている、態様５７〜６１のいずれか一項に記載のコンピュータによって実施されるシステム。
〔態様６３〕
前記屋外気象データが屋外温度情報を含み、更に、前記１つ以上のプロセッサが、
前記屋外温度情報を、前記ＨＶＡＣシステムのある家屋の内部の屋内温度を別途示す屋内温度情報と比較することと、
前記比較に応じて現在の稼動時間を推定することと、
によって前記現在の稼動時間を推定するように構成されている、態様５９に記載のコンピュータによって実施されるシステム。
〔態様６４〕
前記１つ以上のプロセッサが、前記屋外温度情報以外の少なくとも第２の気象パラメータに応じて現在の稼動時間を推定するように更に構成されており、前記第２の気象パラメータは、湿度、風速、風向、日射、及び降水量からなる群から選択される、態様５９又は６３に記載のコンピュータによって実施されるシステム。
〔態様６５〕
前記１つ以上のプロセッサが、前記ＨＶＡＣシステムのある家屋の面積、前記ＨＶＡＣシステムの容量、前記ＨＶＡＣシステムのある前記家屋の経年数、前記ＨＶＡＣシステムのある前記家屋の遮光、及び前記ＨＶＡＣシステムのある前記家屋のエネルギー効率からなる群から選択される家屋パラメータに応じて現在の稼動時間を推定するように更に構成されている、態様５９、６３又は６４のいずれか一項に記載のコンピュータによって実施されるシステム。
〔態様６６〕
前記１つ以上のプロセッサが、前記推定された現在の稼動時間を、以前に推定された現在の稼動時間に加算することによって通算稼動時間値を決定するように更に構成されている、態様５９又は６３〜６５のいずれか一項に記載のコンピュータによって実施されるシステム。
〔態様６７〕
前記１つ以上のプロセッサが、
空中浮遊微粒子測定値、花粉数、地上オゾンレベル、予測塵挨レベル、前記ＨＶＡＣシステムのある家屋内におけるペットの存在、前記ＨＶＡＣシステムのある前記家屋の占居レベル、前記ＨＶＡＣシステムのある前記家屋の内部におけるろうそくの燃焼の可能性、前記ＨＶＡＣシステムのある前記家屋の内部におけるタバコ製品の燃焼の可能性、及び前記ＨＶＡＣシステムのある前記家屋の内部における香の燃焼の可能性からなる群から選択される汚染関連パラメータに応じて前記基準値を決定するように更に構成されている、態様５９又は６０に記載のコンピュータによって実施されるシステム。
〔態様６８〕
前記１つ以上のプロセッサが、
空気質関心レベル、年間フィルタ変更目標回数、ファン動作、及び窓使用度からなる群から選択されるユーザ嗜好関連パラメータに応じて前記基準値を決定するように更に構成されている、態様５９、６０又は６７のいずれか一項に記載のコンピュータによって実施されるシステム。
【手続補正２】
【補正対象書類名】特許請求の範囲
【補正対象項目名】全文
【補正方法】変更
【補正の内容】
【特許請求の範囲】
【請求項１】
ＨＶＡＣシステム内の空気フィルタの交換ステータスを推定するための、コンピュータによって実施される方法であって、前記方法は、
前記ＨＶＡＣシステムに関連する屋外環境についての屋外気象データを入手することと、
前記入手された屋外気象データに基づいて前記ＨＶＡＣシステムのファンの通算稼動時間値を決定することと、
基準値との前記通算稼動時間値の比較に応じて前記空気フィルタの交換ステータスを推定することと、
を含む、方法。
【請求項２】
気象データを入手する前記ステップが、オンラインデータサービスに電子的にアクセスすることを含む、請求項１に記載の方法。
【請求項３】
前記オンラインデータサービスが複数の地域についての屋外温度情報を提供し、気象データを入手する前記ステップが、
前記複数の地域のうちの１つを、前記ＨＶＡＣシステムの地域と対応するものとして特定することを更に含む、請求項１又は２に記載の方法。
【請求項４】
特定する前記ステップが、
前記ＨＶＡＣシステムの郵便番号を、前記複数の地域の各々に関連付けられた郵便番号と比較することを含む、請求項３に記載の方法。
【請求項５】
前記屋外気象データが実際の屋外温度を含む、請求項１〜４のいずれか一項に記載の方法。
【請求項６】
前記屋外気象データが暖房度日値及び冷房度日値のうちの一方を含む、請求項１〜５のいずれか一項に記載の方法。